(57)【要約】　　　（修正有）【課題】ノーヒューズブレーカーの構造に関するものであり、特に電気スイッチ機能を兼ね備えたノーヒューズブレーカーを提供する。【解決手段】スイッチ部材１０、ベース２０及び筐体を有し、ベース２０は、筐体に枢設されると共に、筐体におけるバイメタルプレートと対応するように押圧ブロック２６が突設され、スイッチ部材１０は、ベース２０の押圧ブロック２６が形成されない側に係合される係合部１３を備えることを特徴とする。【選択図】　図２
0003100581.tif 000002
【実用新案登録請求の範囲】
【請求項１】
スイッチ部材（１０）、ベース（２０）及び筐体（３０）を有するブレーカーであって、
ベース（２０）は、筐体（３０）に枢設されると共に、筐体（３０）におけるバイメタルプレートと対応するように押圧ブロック（２６）が突設され、
スイッチ部材（１０）は、ベース（２０）の押圧ブロック（２６）が形成されない側に係合される係合部（１３）を備えることを特徴とするノーヒューズブレーカー。
【請求項２】
前記ベース（２０）は、対向する側の外壁にそれぞれ設けられる同軸の枢設ブロック（２５）により、筐体（３０）に枢設されることを特徴とする請求項１に記載のノーヒューズブレーカー。
　
【請求項３】
前記ベース（２０）上に収容空間（２１）が設けられ、その収容空間（２１）における、枢設ブロック（２５）が設けられる壁面に二つの第一係合孔（２２）が形成されると共に、他方の壁面に第二係合孔（２３）が形成され、更に、スイッチ部材（１０）における、ベース（２０）と対向する側に二つの係合板（１２）が設けられ、前記係合部（１３）はその係合板（１２）から外側へ突出するように設けられて、第一係合孔（２２）及び第二係合孔（２３）に係合されると共に、
前記二つの第一係合孔（２２）の間における、収容空間（２１）の内壁に内側へ垂直に伸びる凸部（２４）が設けられ、スイッチ部材（１０）の係合板（１２）に該凸部（２４）と対応するスリット（１４）が形成されることを特徴とする請求項２に記載のノーヒューズブレーカー。
【考案の詳細な説明】
【技術分野】
【０００１】
　本考案は、ノーヒューズブレーカーの構造に関するものであり、特に電気スイッチ機能を兼ね備えたノーヒューズブレーカーに関するものである。
【背景技術】
【０００２】
　 電気スイッチ機能を兼ね備えたノーヒューズブレーカーには通常、オーバーロード防止機能が備
えられており、その原理は、熱膨張係数の異なるバイメタルプレートが可動コンタクトの弾性プレ
ートとして用いられ、ブレーカーにおけるスイッチ部材が押圧されて導通状態となった時、そのス
イッチ部材の押圧によりバイメタルプレート上の可動コンタクトとリードにおけるピン上の固定コ
ンタクトとが接触して導通状態となるものである。反対に、スイッチ部材を押圧して非導通状態と
した時は、直ちにバイメタルプレートが上方へ引き上げられて、可動コンタクトが固定コンタクト
から離れ、電源が瞬断される。また、ブレーカーがＯＮ状態、即ち導通状態の時にオーバーロード
が発生した場合は、バイメタルプレートが熱変形し可動コンタクトが固定コンタクトから即座に離
れて、スイッチ部材が復位し電源が瞬断される。故に、オーバーロードによる電気装置の破損を防
止することができる。 
　前記バイメタルプレートをオーバーロード防止手段として使用するブレーカーは、数多く設計され、それらのブレーカーにおけるスイッチ部材の殆どが直接に中空のカバー体上に枢設される構成を採用しており、また、該ボタンの一端には成形或いは接合方式により突ブロックが設けられる。これにより、スイッチ部材が導通状態の時、該突ブロックがバイメタルプレートを下方へ押圧して、二つのコンタクトを接触させ導通状態とする。
【考案の開示】
【考案が解決しようとする課題】
【０００３】
　しかし、前記のような、直接に中空のカバー体上に枢設させる方式によるスイッチ部材は、各メーカーにより形状が異なることから、スイッチ部材に応じてその都度型を作製する必要があるので、製造コスト及び製造時間の増加につながる。
【課題を解決するための手段】
【０００４】
　本考案は、スイッチ部材（１０）、ベース（２０）及び筐体（３０）を有するブレーカーであって、
ベース（２０）は、筐体（３０）に枢設されると共に、筐体（３０）におけるバイメタルプレートと対応するように押圧ブロック（２６）が突設され、スイッチ部材（１０）は、ベース（２０）の押圧ブロック（２６）が形成されない側に係合される係合部（１３）を備えることを特徴とするノーヒューズブレーカー、を提供する。
【考案の効果】
【０００５】
本考案は上述したように、スイッチ部材、ベース及び筐体を有するブレーカーであって、ベースは、筐体に枢設されると共に、筐体におけるバイメタルプレートと対応するように押圧ブロックが突設され、スイッチ部材は、ベースの押圧ブロックが形成されない側に係合される係合部を備える構成であるので、同一のベースに異なる形状のスイッチ部材を自由に組み合わせることができる。故に、ベースの大量生産が可能になると共に、コストダウンも図れる。
【考案を実施するための最良の形態】
【０００６】
以下、添付図面を参照して本考案の好適な実施の形態を詳細に説明する。　　　 
図１は本考案に係るノーヒューズブレーカーのスイッチ部材をベースに組み合わせた状態を示す斜視図であり、図２は本考案に係るノーヒューズブレーカーのスイッチ部材をベースに組み合わせる前の状態を示す分解斜視図であり、図３は本考案に係るノーヒューズブレーカーのスイッチ部材及びベースを筐体に組み合わせた状態を示す斜視図であり、図４は本考案に係るノーヒューズブレーカーの異なるスイッチ部材を示す分解斜視図である。　　 
図１及び図２に示すように、本考案のノーヒューズブレーカーは互いに組み合わされるスイッチ部材（１０）、ベース（２０）及び筐体（３０）を有し、その内のベース（２０）は四辺を有するケース状であり、その内部に中空の収容空間（２１）が形成され、収容空間（２１）における一方の側壁上に二つの第一係合孔（２２）が形成されると共に、他方の側壁上に少なくとも一つの第二係合孔（２３）が形成され、更に、該二つの第一係合孔（２２）の間における、収容空間（２１）の内壁に、第一係合孔（２２）の軸方向と同様に内側へ垂直に伸びる凸部（２４）が設けられると共に、ベース（２０）における第一係合孔（２２）が形成される両側壁にそれぞれ外側へ伸びる枢設ブロック（２５）が設けられ、それにより、ベース（２０）を筐体（３０）の側壁に枢設する。また、前記ベース（２０）の一端に、筐体（３０）内における二つの金属弾性部材の自由端の上方と対応する押圧ブロック（２６）が突設され、その二つの金属弾性部材が押圧されることにより導通状態となる。尚、押圧ブロック（２６）と二つの金属弾性部材との切換動作は周知の技術であるので、その説明は省略する。
【０００７】
また、前記スイッチ部材（１０）にベース（２０）の側に開口するカバー体（１１）が設けられ、そのカバー体（１１）におけるベース（２０）側の対向位置それぞれ係合板（１２）が延設されると共に、二つの係合板（１２）上にそれぞれ第一係合孔（２２）及び第二係合孔（２３）と対応する係合部（１３）が設けられ、これにより、図３に示すようにスイッチ部材（１０）がベース（２０）に固定されると共に、スイッチ部材（１０）が固定されたベース（２０）が筐体（３０）に枢設される。そして、スイッチ部材（１０）が切換えられると、それにベース（２０）が連動し、押圧ブロック（２６）により二つの金属弾性部材が押圧される。更に、スイッチ部材（１０）の係合板（１２）における、収容空間（２１）の凸部（２４）と対応する位置にスリット（１４）が形成され、これにより、スイッチ部材（１０）とベース（２０）との間の接合強度を高められる。
【０００８】
上述したように、前記実施例は本考案の最良の形態を示したものであるが、図４に示すように、ベース（２０）に対して異なるタイプのスイッチ部材（４０，５０，６０，７０）を組み合わせてもよく、これらスイッチ部材（４０，５０，６０，７０）も前記スイッチ部材（１０）と同様にその底部にベース（２０）と対応する係合板（１３）が設けられることにより、両者を組み合わせる構成である。故に、同一のベース（２０）に異なる形状のスイッチ部材（１０，４０，５０，６０，７０）を自由に組み合わせることができるので、ベースの大量生産が可能になると共に、コストダウンも図れる。
【産業上の利用可能性】
【０００９】
この考案は、ベースの大量生産が可能になると共に、コストダウンも図れるノーヒューズブレーカーに適している。
【図面の簡単な説明】
【００１０】
【図１】本考案に係るノーヒューズブレーカーのスイッチ部材をベースに組み合わせた状態を示す斜視図である。
【図２】本考案に係るノーヒューズブレーカーのスイッチ部材をベースに組み合わせる前の状態を示す分解斜視図である。
【図３】本考案に係るノーヒューズブレーカーのスイッチ部材及びベースを筐体に組み合わせた状態を示す斜視図である。
【図４】本考案に係るノーヒューズブレーカーの異なるスイッチ部材を示す分解斜視図である。
【符号の説明】
【００１１】
　１０　　　　スイッチ部材
　１１　　　　カバー体
　１２　　　　係合板
　１３　　　　係合部
　１４　　　　スリット
　２０　　　　ベース
　２１　　　　収容空間
　２２　　　　第一係合孔
　２３　　　　第二係合孔
　２４　　　　凸部
　２５　　　　枢設ブロック
　２６　　　　押圧ブロック
　３０　　　　筐体
　４０，５０，６０，７０　　　　スイッチ部材
【図１】
0003100581.tif 000003
【図２】
0003100581.tif 000004
【図３】
0003100581.tif 000005
【図４】
0003100581.tif 000006